(57)【要約】【課題】  データドライバの駆動電圧を低減する。【解決手段】  有機ＥＬ表示パネル１００の行配線６をある期間中は負電源に接続し、該行配線を期間以外の期間中は正電源に接続するための切替回路を複数備える第１駆動回路部４０と、有機ＥＬ表示パネルの列配線に正の印加電圧を出力して、切替回路により負電源に接続されている各有機ＥＬ発光素子１２に発光電流を流すための電流回路３０を備える第２駆動回路部２０とを備えてなる駆動手段【選択図】        図１
2007058039.tif 000002
【特許請求の範囲】
【請求項１】
有機ＥＬ表示パネルの行配線をある期間中は負電源に接続し、該行配線を前記期間以外の期間中は正電源に接続するための切替回路を複数備える第１駆動回路部と、
有機ＥＬ表示パネルの列配線に正の印加電圧を出力して、前記切替回路により前記負電源に接続されている各有機ＥＬ発光素子に発光電流を流すための電流回路を備える第２駆動回路部と
を備えてなる駆動手段。
【請求項２】
前記正電源が前記第２駆動回路部の動作電源として用いられて、前記正電源の電圧が、前記印加電圧の最大電圧と等しい、請求項１に記載の駆動手段。
【請求項３】
前記正電源の電圧は、前記印加電圧の最大電圧より高い、請求項１に記載の駆動手段。
【請求項４】
前記負電源の電圧の絶対値は、有機ＥＬ発光素子の動作電圧の閾値の絶対値とほぼ等しくされる、請求項１〜３のいずれかに記載の駆動手段。
【請求項５】
有機ＥＬ表示パネルの行配線をある期間中は正電源に接続し、該行配線を前記期間以外の期間中は負電源に接続するための切替回路を複数備える第１駆動回路部と、
有機ＥＬ表示パネルの列配線に負の印加電圧を出力して、前記切替回路により前記正電源に接続されている各有機ＥＬ発光素子に発光電流を流すための電流回路を備える第２駆動回路部と
を備えてなる駆動手段。
【請求項６】
前記負電源が前記第２駆動回路部の動作電源として用いられて、前記負電源の電圧が、前記印加電圧の最大電圧と等しい、請求項５に記載の駆動手段。
【請求項７】
前記負電源の電圧は、前記印加電圧の最大電圧より低い、請求項５に記載の駆動手段。
【請求項８】
前記正電源の電圧の絶対値は、有機ＥＬ発光素子の動作電圧の閾値の絶対値とほぼ等しくされる、請求項５〜７のいずれかに記載の駆動手段。
【発明の詳細な説明】
【技術分野】
【０００１】
本発明は、電流駆動型フラットパネルディスプレイの駆動回路に関し、特に、パッシブマトリクス駆動を行う有機ＥＬ表示パネルの駆動装置に関する。
【背景技術】
【０００２】
従来、高精細で視認性に優れ、携帯端末機または産業用計測器の表示など広範囲な応用可能性を有する有機エレクトロルミネセンスディスプレイ（または有機発光ダイオードディスプレイ、以下「有機ＥＬ表示パネル」という）が知られている。有機ＥＬ表示パネルは第１素子電極と第２素子電極に挟持された電子注入層２１１、電子輸送層２１２、有機ＥＬ発光層２１３、正孔輸送層２１４、正孔注入層２１５を有する有機ＥＬ発光素子１１２を各画素に備えている（図６）。有機ＥＬ発光素子は整流特性を有しており、第１素子電極と第２素子電極により注入された電流を可視光に変換して発光が実現する。このような有機ＥＬ表示パネルは自ら発光を行なう自発光タイプの表示装置であり、例えば液晶表示装置等の非発光型表示装置に比較して、視野角が広く、応答速度が速いという利点を有している。係る利点のため、有機ＥＬ表示パネルは、携帯電話端末装置、携帯型パーソナルコンピュータ、薄型テレビジョンのフラットパネル表示装置として開発が進められている。
【０００３】
このような有機ＥＬ表示パネルにおいて、各画素に所望の発光を独立して行なわせて駆動する方式（ドットマトリクス駆動方式）としては、アモルファスシリコン層やポリシリコン層等を活性層（能動層）として有するＴＦＴ素子（Ｔｈｉｎ  Ｆｉｌｍ  Ｔｒａｎｓｉｓｔｏｒ；薄膜トランジスタ）等のアクティブ駆動素子を用いるアクティブマトリクス駆動方式と、行および列に配列された多数のストライプ状電極を組み合わせて、各画素において行および列の電極により挟持される有機ＥＬ発光層を駆動するパッシブマトリクス駆動方式とがある。パッシブマトリクス方式では、アルミニウムなどの金属電極からなる所定の走査ライン（陰極配線）と透明電極からなる所定のデータライン（陽極配線）によって有機ＥＬ発光層が挟持されていて、これらの電極を単純マトリクス駆動（あるいは、デューティ駆動）することにより有機ＥＬ発光層に電流を流す。こうして、走査ラインとデータラインとによってアドレス指定される画素を所望の輝度によって発光させる。この従来の駆動方法の例は、例えば特許文献１に開示されている。図５により、その動作を説明する。
【０００４】
図５は、従来のパッシブマトリクス駆動による有機ＥＬ表示パネル１１０に駆動回路を接続した有機ＥＬ表示装置１００の構成を示すブロック図である。有機ＥＬ発光素子１１２は、図５においては、有機ＥＬ発光素子の整流特性を表現するダイオード１１４と、電極間に生じる寄生容量を表現するキャパシタ１１６とを並列させた記号で表現している。列配線（陽極に接続）１０４、行配線（陰極に接続）１０６は、格子状に配列され、各電極の交点に対応するように、有機ＥＬ発光素子１１２が設けられている。陰極１０６は、走査ラインとも呼ばれ、行配線１０６に接続された列配線１４０は走査ドライバとも呼ばれる。列配線１０４は、データラインとも呼ばれ、列配線１０４に接続された駆動部１２０はデータドライバとも呼ばれる。
【０００５】
走査ドライバ１４０の出力回路部１４４には、各行配線１０６に接続されるスイッチ１４８が備えられている。このスイッチ１４８は、接続された行配線を正電圧の電源（正電源）につながるライン１４６に接続するか、接地されているライン１５０に接続するかを切り替えるために用いられる。このスイッチ１４８の切り替えタイミングは、入力１４２ａに入力されシフトレジスタ１４２によりタイミングがシフトされるクロック信号により制御される。
【０００６】
走査ドライバ１４０は、ある期間（選択期間）中には、走査ライン１０６を一つ選択し、その走査ラインをライン１５０に接続してＬＯＷ電位にする。従来のパッシブマトリクス駆動においては、ライン１５０がアースに接続されており、ＬＯＷ電位は接地電位となる。そして、その選択期間中には、他の走査ラインはＨＩ電位にする。
【０００７】
データドライバ１２０は、選択された走査ラインに接続された各有機ＥＬ発光素子に電流を供給する出力段回路１２８を有している。出力段回路１２８には、電流源回路１３０が備えられている。電流源回路１３０は、例えばパルス幅変調による変調を受けて、各列配線１０４が電気的に接続される先を、電圧Ｖ3の電源ライン１３２と接地電位にされたライン１３６との間でスイッチ１３４によりデータに応じて切り替えられる。パルス幅変調を採用する従来例においては、選択期間のうち電圧Ｖ3が出力される期間においては、電流源回路１３０は、走査ライン１０６のＬＯＷ電位である接地電位との間で、有機ＥＬ発光素子１１２を発光させる発光電流を出力する。また、選択期間中のうちスイッチ１３４がライン１３６側に切り替えられる期間においては、有機ＥＬ発光素子１１２の二つの素子電極の電位は等電位となり、発光電流が流れない。また、走査ライン１０６のＨｉ電位は、電流源回路１３０の出力電圧との間で、選択されていない行の有機ＥＬ発光素子１１２に発光電流が流れないように選択される。典型的には、走査ライン１０６のＨｉ電位は、電源ライン１４６の電圧と同じ電圧Ｖ3とされる。なお、パルス幅変調を採用するデータドライバ１２０では、シフトレジスタ１２２がデータクロック信号を入力１２２ａから受信し、そのシフトレジスタによって生成されたタイミングデータが、入力１２４ａに入力される画像データをサンプリングするためにラッチ回路１２４に送られる。そして、ラッチされた画像データはＰＷＭ回路１２６に送られる。ＰＷＭ回路１２６は、入力１２６ａから受信したＰＷＭカウンタクロック制御信号を用いて、ラッチされた画像データに応じたスイッチ１３４の切り替えタイミングを生成し、各スイッチ１３４を制御する。
【０００８】
選択期間が終了すると、走査ドライバ１４０は、選択する行を次の行に切り替え、それまで選択された行の走査ラインをＨＩ電位にして、新しく選択された行の走査ラインをＬＯＷ電位にする。それに応じて、データドライバ１２０が新しく選択された行により表示するための表示電流を出力する。このように、選択する行を順次切り替えてゆくことにより、最終的に画面全体が表示を行う。パッシブマトリクス駆動の有機ＥＬ表示パネル１１０に用いるデータドライバ１２０および走査ドライバ１４０は、通常は別々の集積回路により作製されて、有機ＥＬ表示パネル１１０の外部から表示を制御する。
【０００９】
データドライバ１２０や走査ドライバ１４０が集積回路により作製される場合、データを転送するシフトレジスタ１２２、ラッチ回路１２４、ＰＷＭ回路１２６、シフトレジスタ１４２などのロジック部と、出力段回路１２８、出力回路部１４４に含まれるアナログ部（電流源回路１３０等）とが同一のＩＣダイにデジタル・アナログ混載のＩＣとして、同一のプロセスにより作製される。ここで、有機ＥＬ発光素子１１２の標準的な駆動電圧は、１５Ｖ〜２０Ｖあるいはそれ以上の電圧である。これは、一般的な電子機器が５Ｖや３．３Ｖで動作するのに比べて高い電圧であり、デジタルロジック部とアナログ部を混載するＩＣは、高耐圧のＩＣとする必要がある。このような高耐圧のＩＣは、一般的なＩＣより大きなサイズの設計ルールや、高耐圧の絶縁膜設計等を用いなければならず、コストを左右するチップサイズの点および動作速度の点で不利である。特にデータドライバ１２０は、走査ドライバ１４０に比べてデジタル回路部が複雑な処理を行なうものであり、演算処理をより高度化したいという要望もあるが、高耐圧のＩＣではこれらが制限されやすいという問題がある。
【特許文献１】特開平１１−３１１９７８号公報
【発明の開示】
【発明が解決しようとする課題】
【００１０】
本発明は、データドライバＩＣの動作電圧を低くし得る駆動方式を実現することを課題とする。
【課題を解決するための手段】
【００１１】
本発明は、有機ＥＬ発光素子が電流により発光するためには閾値電圧以上の電圧が必要であるという性質を利用して、走査ドライバの駆動に用いる電圧範囲をシフトさせ、データドライバに必要な耐圧を低くできる駆動回路を実現する。すなわち、本発明においては、  有機ＥＬ表示パネルの行配線をある期間中は負電源に接続し、行配線を期間以外の期間中は正電源に接続するための切替回路を複数備える第１駆動回路部と、有機ＥＬ表示パネルの列配線に正の印加電圧を出力して、切替回路により負電源に接続されている各有機ＥＬ発光素子に発光電流を流すための電流回路を備える第２駆動回路部とを備えてなる駆動手段が提供される。
【００１２】
第１駆動回路部および第２駆動回路部は、典型的には、それぞれ、走査ドライバＩＣおよび走査ドライバＩＣである。第１駆動回路部に負電源を用いることにより、第２駆動回路部が有機ＥＬ発光素子に発光電流を流す際の印加電圧を低減することができ、データドライバＩＣの耐圧を低く抑えることができる。
【００１３】
本発明の上記側面においては、正電源が第２駆動回路部の動作電源として用いられて、正電源の電圧が、印加電圧の最大電圧と等しいことが好ましい。これにより、第１駆動回路部の動作電源の一部を第２駆動回路部の動作電源として用いることができ、電源数を削減して低コストの駆動手段を実現することができる。
【００１４】
本発明の上記側面においては、正電源の電圧は、印加電圧の最大電圧より高いことが好ましい。これにより、発光させる有機ＥＬ発光素子を適切に駆動することができ、また、発光させない有機ＥＬ発光素子には適切に逆バイアス電圧を印加することができる。
【００１５】
本発明の上記態様において、負電源の電圧の絶対値が有機ＥＬ発光素子の動作電圧の閾値の絶対値とほぼ等しくされると特に好適である。閾値の分だけ第１駆動回路部の動作する電圧を負にずらせば、第２駆動回路部の駆動電圧をより低減できる。
【００１６】
さらに、本発明の他の側面においては、上記の発明の側面における電圧をすべて反転させた構成も実現される。有機ＥＬ発光素子が基板側に発光する構成（ボトムエミッション構成）ではなく、基板とは反対側に発光する構成（トップエミッション構成）とすると、行配線が陽極に接続され、列配線が陰極に接続される。その場合であっても、本発明の上記側面と同様の技術思想が実現される。
【発明の効果】
【００１７】
本発明によれば、データドライバを耐圧の小さなＩＣとして作製することができ、有機ＥＬ表示装置の駆動手段において、ＩＣのコストを抑えることが可能になり、また、より複雑な信号処理が可能になる。
【発明を実施するための最良の形態】
【００１８】
以下、図１〜図４を参照して本発明の実施の形態について説明する。
図１は、本発明の駆動手段と有機ＥＬ表示パネルとを有する有機ＥＬ表示装置１の構成を示すブロック構成図である。また、図２および図３は、この駆動手段において出力される信号の波形を示す波形図である。さらに、図４は、本発明の駆動手段により駆動される有機ＥＬ表示パネルに備えられる有機ＥＬ表示素子の特性を示す特性図である。
【００１９】
図１に示した有機ＥＬ表示装置１においては、有機ＥＬ表示パネル１０に走査ドライバ４０（第１駆動回路部）とデータドライバ２０（第２駆動回路部）とが接続されている。本発明の駆動手段は、走査ドライバ４０とデータドライバ２０として実施される。本実施の形態の駆動手段が駆動する有機ＥＬ表示パネルには、有機ＥＬ発光素子１２が備えられている。陽極（列配線）４と陰極（行配線）６は、格子状に配列され、有機ＥＬ発光素子１２が各電極の交点に対応するように設けられている。この有機ＥＬ表示素子１２は、ダイオード１４とキャパシタ１６とが並列に接続された等価回路により表現できる。
【００２０】
走査ドライバ４０の出力回路部４４には、各行配線６に接続されるスイッチ４８が備えられている。これらのスイッチ４８は、接続された行配線を正電圧の電源（正電源）につながるライン４６に接続するか、負電圧の電源（負電源）につながるライン５６に接続するかを切り替えるために用いられる。スイッチ４８の切り替えタイミングは、入力５４に入力され、フォトカプラ５０を介してシフトレジスタ４２によりタイミングがシフトされるクロック信号により制御される。フォトカプラ５０は、走査ドライバ４０のタイミングを制御するコントローラ（図示しない）と走査ドライバ４０の電気的絶縁を図りつつクロック信号５４を受信し、負電源につながれたライン５２との間でクロックを生成するために用いられる。
【００２１】
走査ドライバ４０は、選択期間に走査ライン６のいずれかを選択し、その走査ラインをライン５０に接続してＬＯＷ電位とする。本発明においては、ライン５０につながっている負電源の電圧は−ＶLにされている。そして、その選択期間には、他の走査ラインはＨＩ電位にする。本発明においては、ライン４６につながっている正電源の電圧はＶHにされている。
【００２２】
また、データドライバ２０は、走査ドライバ４０により選択された走査ラインに接続された各有機ＥＬ発光素子に電流を供給する出力段回路２８を有している。出力段回路２８には、電流源回路３０が備えられている。電流源回路３０は正電源の電圧を十分な電流容量で出力する。電流源回路３０の出力側にはスイッチ３４が備えられる。また、データドライバ２０は、スイッチ３４を制御するためのＰＷＭ回路２６、画像データをラッチするためのラッチ回路２４、ラッチタイミングを生成するためのシフトレジスタ２２を備えている。スイッチ３４は、これらの回路の制御によりパルス幅変調を受けて、各列配線４が電気的に接続される先を、電圧ＶAの電源ライン３２と接地電位にされたライン３８との間で画像データに応じて切り替える。出力段回路２８の各出力ラインには、ライン３８との間に保護ダイオード３６が設けられる。この保護ダイオードは、データラインが走査ドライバ４０のスイッチング動作の影響により負電位にならないために付加される。
【００２３】
パルス幅変調を用いる本実施形態においては、シフトレジスタ２２がデータクロック信号を入力２２ａから受信し、そのシフトレジスタによって生成されたタイミングデータが、入力２４ａに入力される画像データをサンプリングするためにラッチ回路２４に送られる。このラッチされた画像データはＰＷＭ回路２６に送られる。ＰＷＭ回路２６は、入力２６ａから受信したＰＷＭカウンタクロック制御信号を用いて、ラッチされた画像データに応じたスイッチ３４の切り替えタイミングを生成し、各スイッチ３４を制御する
【００２４】
図２は、この駆動手段において出力される信号の波形を示す波形図である。図２（ａ）に示したように、画像を表示する単位となる期間であるフレームＦ1、Ｆ2…のそれぞれにおいて、各行配線には、走査ドライバ４０から波形Ｓ1〜ＳM（Ｍは行数）が出力され、図２（ｂ）に示したように、データドライバ２０からは、列配線を示す番号をｊ（ｊ＝１〜Ｎ、Ｎは列数）として、波形Ｄjが出力される。走査ドライバ４０からの波形Ｓ1〜ＳMには、選択パルスＳＰ1〜ＳＰMが含まれていて、そのタイミングは順次ずらされている。データドライバ２０が第ｊ列の有機ＥＬ表示素子を駆動する波形Ｄjには、駆動パルスＤＰ1〜ＤＰMが含まれていて、選択パルスＳＰ1〜ＳＰMとタイミングが合わせられている。各選択パルスＳＰ1〜ＳＰMの電位は、負の電圧−ＶLのＬＯＷ電位にされている。選択パルスが出力されないときには、正電源の電位ＶHが出力される。選択パルスが出力される各選択期間においては、その選択パルスにより選択されている行に出力するために、駆動パルスＤＰ1〜ＤＰMが電圧ＶAのパルスとしてデータドライバ２０の電流源回路３０から出力される。駆動パルスＤＰ1〜ＤＰMはスイッチ３４により生成され、そのタイミングおよびそのパルス幅がＰＷＭ回路２６により制御される。
【００２５】
選択パルスＳＰ1〜ＳＰMによる選択期間が終了すると、走査ドライバ４０は、選択する行を次の行に切り替え、それまで選択された行の走査ラインをＨＩ電位にして、新しく選択された行の走査ラインをＬＯＷにする。それに応じて、データドライバ２０が新しく選択された行により表示するための表示電流を出力する。このように、選択する行を順次切り替えてゆくことにより、最終的に画面全体が表示を行う。パッシブマトリクス駆動の有機ＥＬ表示パネル１０に用いるデータドライバ２０および走査ドライバ４０は、通常は別々の集積回路により作製されて、有機ＥＬ表示パネル１０の外部から表示を制御する。
【００２６】
図３は、本実施形態の駆動手段において出力される信号の波形を、同じ電圧軸を用いて拡大して示す波形図であり、選択期間におけるデータドライバ２０と走査ドライバ４０の出力電圧の関係を示している。選択パルスＳＰi（ｉ＝１〜Ｍ）の選択期間に、電圧ＶAが出力される駆動パルスＤＰiの期間が重なるようにスイッチ３４が制御される。駆動パルスＤＰiにより、電流源回路３０は、走査ライン６のＬＯＷ電位（−ＶL）との間で、有機ＥＬ発光素子１２を発光させる発光電流を出力する。また、選択期間のうち駆動パルスＤＰiの期間以外の期間においては、スイッチ３４が制御されて、有機ＥＬ発光素子１２の両端の電位は等電位とされ、発光電流は流れない。また、走査ライン６のＨｉ電位（ＶH）は、電流源回路３０の出力電圧との間で、選択されていない行の有機ＥＬ発光素子１２に発光電流が流れないように選択される。
【００２７】
図４は、本実施の形態の駆動手段により駆動される有機ＥＬ表示パネルに備えられる有機ＥＬ表示素子の特性を示す特性図である。有機ＥＬ表示素子は、陽極が負極より高い電圧が印加されると、所定の電圧（Ｖ1）までは電流を流さず、Ｖ1以上の電圧において電流を流す閾値特性を示す。また、有機ＥＬ表示素子は、負極が陽極より高い電圧が印加されても電流は流さない整流特性を示す。図４のグラフは、横軸に負極に対する陽極の電位をとり、そのときの電流（発光電流）を示している。表示に必要な最大輝度を得るための電圧（駆動電圧）をＶ3とする。なお、従来の駆動手段においては、このＶ3が駆動パルスの電圧として印加されている。
【００２８】
閾値電圧Ｖ1と駆動電圧Ｖ3との差をＶ2とすると、本実施の形態の駆動手段においては、第１の例として、ＶL＝Ｖ1とし、ＶH＝ＶA＝Ｖ2とすることにより、適切な駆動を実現しつつ、データドライバ２０の電源電圧を最大限低くすることができる。この場合、図３および図４から明らかなように、電圧ＶL＋ＶAによって駆動される有機ＥＬ表示素子の駆動電圧が電圧Ｖ3となり、選択パルスＳＰの期間以外の期間における行配線の電圧ＶHは電圧Ｖ2と等しくされる。これは、データドライバ２０の正電源の電圧および走査ドライバ４０の正電源の電圧として電圧Ｖ2を選ぶことにより実現できる。このとき、走査ドライバ４０の負電源の電圧として電圧−Ｖ1が選ばれる。
【００２９】
また、本実施の形態の駆動手段の第２の例として、走査ドライバ４０の正電源の電圧が、データドライバの印加電圧の最大電圧より高くされる。この場合には、ＶL＝Ｖ1とし、ＶA＝Ｖ2として、ＶH＞ＶAすることにより、適切な駆動を実現しつつ、有機ＥＬ素子の発光していない期間に逆バイアス電圧を印加することができる。この場合、図３および図４から明らかなように、電圧ＶL＋ＶAによって駆動される有機ＥＬ表示素子の駆動電圧が電圧Ｖ3となり、選択パルスＳＰの期間以外の期間における行配線の電圧ＶHは電圧Ｖ2より大きくされる。これは、走査ドライバ４０の正電源の電圧をデータドライバ２０の電源の電圧より高くすることにより実現できる。走査ドライバ４０の負電源の電圧として電圧−Ｖ1が選ばれることは第１の例と同様である。
【００３０】
以上、本発明の実施の形態につき述べたが、本発明は既述の実施の形態に限定されるものではなく、本発明の技術的思想に基づいて各種の変形、変更および組合わせが可能である。例えば、上記実施の形態においては、パルス幅変調における例を示したが、当業者には明らかであるように、例えば、パルス振幅変調を行っても、本発明は実施可能である。また、有機ＥＬ表示素子の層構成を逆転させて、電源の極性を反転させることができる。
【図面の簡単な説明】
【００３１】
【図１】本発明の実施の形態の駆動手段と有機ＥＬ表示パネルとを有する有機ＥＬ表示装置の構成を示すブロック構成図である。
【図２】本発明の実施の形態の駆動手段において出力される信号の波形を示す波形図である。
【図３】本発明の実施の形態の駆動手段において出力される信号の波形を拡大して示す波形図である。
【図４】本発明の駆動手段により駆動される有機ＥＬ表示パネルに備えられる有機ＥＬ表示素子の特性を示す特性図である。
【図５】従来の駆動手段と有機ＥＬ表示パネルとを有する有機ＥＬ表示装置の構成を示すブロック構成図である。
【図６】従来の駆動手段と有機ＥＬ表示パネルとの構成を示す斜視図である。
【符号の説明】
【００３２】
４  陽極（列配線）
６  陰極（行配線、走査ライン）
１０  有機ＥＬ表示パネル
１２  有機ＥＬ表示素子
１４  ダイオード
１６  キャパシタ
２０  データドライバ
２２  シフトレジスタ
２４  ラッチ回路
２６  ＰＷＭ回路
２８  出力段回路
３０  電流源回路
３２  電源ライン
３４  スイッチ
３６  保護ダイオード
３８、４６、５２、５６  ライン
４０  走査ドライバ
４２  シフトレジスタ
４４  出力回路部
４８  スイッチ
５０  フォトカプラ
５４  クロック信号
１００  有機ＥＬ表示装置
１０６  走査ライン
１０４  列配線（陽極）
１０６  走査ライン（陰極）
１１０  有機ＥＬ表示パネル
１１２  有機ＥＬ発光素子
１１４  ダイオード
１１６  キャパシタ
１２０  データドライバ（駆動部）
１２２  シフトレジスタ
１２４  ラッチ回路
１２６  ＰＷＭ回路
１２８  出力段回路
１３０  電流源回路
１３２  電源ライン
１３４、１４８スイッチ
１３６、１４６、１５０  ライン
１４０  走査ドライバ（駆動部）
１４２  シフトレジスタ
１４４  出力回路部
２１１  電子注入層
２１２  電子輸送層
２１３  有機ＥＬ発光層
２１４  正孔輸送層
２１５  正孔注入層
【図１】
2007058039.tif 000003
【図２】
2007058039.tif 000004
【図３】
2007058039.tif 000005
【図４】
2007058039.tif 000006
【図５】
2007058039.tif 000007
【図６】
2007058039.tif 000008